(57)【要約】  本システムは、複数の介護者による被介護者に関する非公式の所見をたどり、非公式の所見に基づいて被介護者の健康状態を管理するための実行可能なフィードバックを複数の介護者に提供するように構成される。非公式の介護者は、ケアを受けている被介護者の健康及び／又は健康状態を定期的に観察している。例えば、家族内では、複数の非公式の介護者は、被介護者に提供するケアを互いに調整して、作業量のバランスを図る。これらの介護者は、同じ被介護者を、大抵の場合に異なる機会に、異なる視点から、そして主観のレベルを変えて観察する。例えば、被介護者による異常行動、被介護者の能力の変化、及び／又は潜在的な疾病の進行に目を光らせることは、非公式で、殆ど構造化されていない方法で一般的に観察される介護者データの一部となる。
2019515398.tif 000002
【特許請求の範囲】
【請求項１】
複数の介護者による被介護者に関する非公式の所見をたどり、該非公式の所見に基づいて前記被介護者の健康状態を管理するための実行可能なフィードバックを前記複数の介護者に提供するように構成されたシステムであって、該システムは、１つ又は複数のハードウェア・プロセッサを含み、該ハードウェア・プロセッサは、機械可読命令によって、
前記被介護者に関する病歴情報を取得することであって、該病歴情報は、前記被介護者が経験した１つ又は複数の病状を含む前記被介護者の健康状態を示す、取得することと、
前記複数の介護者による前記非公式の所見の入力及び／又は選択を容易にするように構成されたグラフィカル・ユーザインターフェイスを提示させることであって、該グラフィカル・ユーザインターフェイスは、個々の介護者に関連付けられた個々のコンピュータ装置上に提示される、提示させることと、
前記非公式の所見及び前記病歴情報を解析して、前記被介護者の健康状態又は前記被介護者が経験する医療イベントの１つ又は複数の変化を決定することと、
前記解析に基づいて、実行可能なフィードバックを前記複数の介護者のために生成することであって、前記実行可能なフィードバックは、前記被介護者の健康状態を管理するための推奨事項と、該推奨事項に関連するサポートコンテンツとを含み、該サポートコンテンツは、１つ又は複数の外部データ源から取得した前記推奨事項に関連する情報を含む、生成することと、
前記実行可能なフィードバックを、前記グラフィカル・ユーザインターフェイスを介して前記複数の介護者に提示させることと、を行うように構成される、
システム。
【請求項２】
前記１つ又は複数のハードウェア・プロセッサは、前記実行可能なフィードバック、前記解析、及び前記非公式の所見に基づいて、要約レポートをヘルスケア・プロバイダのために生成するようにさらに構成される、請求項１に記載のシステム。
【請求項３】
前記１つ又は複数のハードウェア・プロセッサは、前記所見が、該所見に関連するテキスト形式の記述的メモ、評価付け、前記所見の日付、及び視覚画像の１つ又は複数を含むように構成される、請求項１に記載のシステム。
【請求項４】
前記１つ又は複数のハードウェア・プロセッサは、前記解析が、前記テキスト形式の記述的メモ及び／又は前記視覚画像の解析を容易にするように構成された自然言語処理及び画像処理技術を使用する前処理及び特徴抽出工程を含むようにさらに構成される、請求項３に記載のシステム。
【請求項５】
前記１つ又は複数のハードウェア・プロセッサは、前記グラフィカル・ユーザインターフェイスが、１つ又は複数の所見カテゴリーに対応する１つ又は複数のビューと、テキスト形式の記述的メモ、評価付け、日付、及び／又は視覚画像に対応する個々のビュー内の１つ又は複数のフィールドとを含むように構成される、請求項１に記載のシステム。
【請求項６】
前記被介護者の健康状態に関連する情報を伝達する出力信号を生成するように構成された１つ又は複数のセンサをさらに含み、前記１つ又は複数のハードウェア・プロセッサは、前記出力信号の情報は、前記取得した病歴情報に含まれるように構成される、請求項１に記載のシステム。
【請求項７】
複数の介護者による被介護者に関する非公式の所見をたどり、観察システムを用いて、前記非公式の所見に基づいて前記被介護者の健康状態を管理するための実行可能なフィードバックを前記複数の介護者に提供する方法であって、前記システムは１つ又は複数のハードウェア・プロセッサを含み、当該方法は、
前記被介護者に関する病歴情報を取得するステップであって、該病歴情報は、前記被介護者が経験した１つ又は複数の病状を含む前記被介護者の健康状態を示す、取得するステップと、
前記複数の介護者による前記非公式の所見の入力及び／又は選択を容易にするように構成されたグラフィカル・ユーザインターフェイスを提示させるステップであって、該グラフィカル・ユーザインターフェイスは、個々の介護者に関連付けられた個々のコンピュータ装置上に提示される、提示させるステップと、
前記非公式の所見及び前記病歴情報を解析して、前記被介護者の健康状態又は前記被介護者が経験する医療イベントの１つ又は複数の変化を決定するステップと、
前記解析に基づいて、実行可能なフィードバックを前記複数の介護者のために生成するステップであって、前記実行可能なフィードバックは、前記被介護者の健康状態を管理するための推奨事項と、該推奨事項に関連するサポートコンテンツとを含み、該サポートコンテンツは、１つ又は複数の外部データ源から取得した前記推奨事項に関連する情報を含む、生成するステップと、
前記実行可能なフィードバックを、前記グラフィカル・ユーザインターフェイスを介して前記複数の介護者に提示させるステップと、を含む、
方法。
【請求項８】
前記実行可能なフィードバック、前記解析、及び前記非公式の所見に基づいて、要約レポートをヘルスケア・プロバイダのために生成するステップをさらに含む、請求項７に記載の方法。
【請求項９】
前記所見は、該所見に関連するテキスト形式の記述的メモ、評価付け、前記所見の日付、及び視覚画像の１つ又は複数を含む、請求項７に記載の方法。
【請求項１０】
前記解析は、前記テキスト形式の記述的メモ及び／又は前記視覚画像の解析を容易にするように構成された自然言語処理及び画像処理技術を使用する前処理及び特徴抽出工程を含む、請求項９に記載の方法。
【請求項１１】
前記グラフィカル・ユーザインターフェイスは、１つ又は複数の所見カテゴリーに対応する１つ又は複数のビューと、テキスト形式の記述的メモ、評価付け、日付、及び／又は視覚画像に対応する個々のビュー内の１つ又は複数のフィールドとを含む、請求項７に記載の方法。
【請求項１２】
前記被介護者の健康状態に関連する情報を伝達する出力信号を生成するステップをさらに含み、前記出力信号の情報は、前記取得した病歴情報に含まれる、請求項７に記載の方法。
【請求項１３】
複数の介護者による被介護者に関する非公式の所見をたどり、該非公式の所見に基づいて前記被介護者の健康状態を管理するための実行可能なフィードバックを前記複数の介護者に提供するように構成されたシステムであって、当該システムは、
前記被介護者に関する病歴情報を取得する手段であって、該病歴情報は、前記被介護者が経験した１つ又は複数の病状を含む前記被介護者の健康状態を示す、取得する手段と、
前記複数の介護者による前記非公式の所見の入力及び／又は選択を容易にするように構成されたグラフィカル・ユーザインターフェイスを提示させる手段であって、該グラフィカル・ユーザインターフェイスは、個々の介護者に関連付けられた個々のコンピュータ装置上に提示される、提示させる手段と、
前記非公式の所見及び前記病歴情報を解析して、前記被介護者の健康状態又は前記被介護者が経験する医療イベントの１つ又は複数の変化を決定する手段と、
前記解析に基づいて、実行可能なフィードバックを前記複数の介護者のために生成する手段であって、前記実行可能なフィードバックは、前記被介護者の健康状態を管理するための推奨事項と、該推奨事項に関連するサポートコンテンツとを含み、該サポートコンテンツは、１つ又は複数の外部データ源から取得した前記推奨事項に関連する情報を含む、生成する手段と、
前記実行可能なフィードバックを、前記グラフィカル・ユーザインターフェイスを介して前記複数の介護者に提示させる手段と、を含む、
システム。
【請求項１４】
前記実行可能なフィードバック、前記解析、及び前記非公式の所見に基づいて、要約レポートをヘルスケア・プロバイダのために生成する手段をさらに含む、請求項１３に記載のシステム。
【請求項１５】
前記所見は、該所見に関連するテキスト形式の記述的メモ、評価付け、前記所見の日付、及び視覚画像の１つ又は複数を含む、請求項１３に記載のシステム。
【請求項１６】
前記解析は、前記テキスト形式の記述的メモ及び／又は前記視覚画像の解析を容易にするように構成された自然言語処理及び画像処理技術を使用する前処理及び特徴抽出工程を含む、請求項１５に記載のシステム。
【請求項１７】
前記グラフィカル・ユーザインターフェイスは、１つ又は複数の所見カテゴリーに対応する１つ又は複数のビューと、テキスト形式の記述的メモ、評価付け、日付、及び／又は視覚画像に対応する個々のビュー内の１つ又は複数のフィールドとを含む、請求項１３に記載のシステム。
【請求項１８】
前記被介護者の健康状態に関連する情報を伝達する出力信号を生成する手段をさらに含み、前記出力信号の情報は、前記取得した病歴情報に含まれる、請求項１３に記載のシステム。
【発明の詳細な説明】
【技術分野】
【０００１】
本開示は、複数の介護者による被介護者に関する非公式の所見をたどり（tracking  informal  observations）、非公式の所見に基づいて被介護者の健康状態を管理するための実行可能なフィードバックを複数の介護者に提供するためのシステム及び方法に関する。
【背景技術】
【０００２】
典型的には、複数の非公式の介護者が被介護者の健康及び健康状態を常に観察している。これらの所見によって、被介護者の状態に関する有益な情報が提供され得る。しかしながら、一見した小さな個々人のいくつかの所見は、共有されず、深刻なイベントの発生を防ぐ機会を見逃してしまう可能性がある。
【発明の概要】
【０００３】
従って、本開示の１つ又は複数の態様は、複数の介護者による被介護者に関する非公式の所見をたどり、この非公式の所見に基づいて被介護者の健康状態を管理するための実行可能なフィードバックを複数の介護者に提供するように構成されるシステムに関する。このシステムは、１つ又は複数のハードウェア・プロセッサ及び／又は他の構成要素を含む。１つ又は複数のハードウェア・プロセッサは、機械可読命令によって、被介護者に関する病歴情報を取得するように構成される。病歴情報は、被介護者が経験した１つ又は複数の病状を含む被介護者の健康状態を示す。１つ又は複数のハードウェア・プロセッサは、複数の介護者による非公式の所見の入力及び／又は選択を容易にするように構成されたグラフィカル・ユーザインターフェイスを提示させるように構成される。グラフィカル・ユーザインターフェイスは、個々の介護者に関連付けられた個々のコンピュータ装置上に提示される。１つ又は複数のハードウェア・プロセッサは、非公式の所見及び病歴情報を解析して、被介護者の健康状態又は被介護者が経験する医療イベントの１つ又は複数の変化を決定するように構成される。１つ又は複数のハードウェア・プロセッサは、その解析に基づいて、実行可能なフィードバックを複数の介護者のために生成するように構成される。実行可能なフィードバックは、被介護者の健康状態を管理するための推奨事項と、推奨事項に関連するサポートコンテンツとを含む。サポートコンテンツは、１つ又は複数の外部データ源から取得した推奨事項に関連する情報を含む。１つ又は複数のハードウェア・プロセッサは、実行可能なフィードバックを、グラフィカル・ユーザインターフェイスを介して複数の介護者に提示させるように構成される。
【０００４】
本開示の別の態様は、複数の介護者による被介護者に関する非公式の所見をたどり、観察システムを用いて、非公式の所見に基づいて被介護者の健康状態を管理するための実行可能なフィードバックを複数の介護者に提供する方法に関する。システムが、１つ又は複数のハードウェア・プロセッサ及び／又は他の構成要素を含む。この方法は、被介護者に関する病歴情報を取得するステップを含む。病歴情報は、被介護者が経験した１つ又は複数の病状を含む被介護者の健康状態を示す。この方法は、複数の介護者による非公式の所見の入力及び／又は選択を容易にするように構成されたグラフィカル・ユーザインターフェイスを提示させるステップを含む。グラフィカル・ユーザインターフェイスは、個々の介護者に関連付けられた個々のコンピュータ装置上に提示される。この方法は、非公式の所見及び病歴情報を解析して、被介護者の健康状態又は被介護者が経験する医療イベントの１つ又は複数の変化を決定するステップを含む。この方法は、その解析に基づいて実行可能なフィードバックを複数の介護者のために生成するステップを含む。実行可能なフィードバックは、被介護者の健康状態を管理するための推奨事項と、この推奨事項に関連するサポートコンテンツとを含む。サポートコンテンツは、１つ又は複数の外部データ源から取得した推奨事項に関連する情報を含む。この方法は、実行可能なフィードバックを、グラフィカル・ユーザインターフェイスを介して複数の介護者に提示させるステップを含む。
【０００５】
本開示のさらに別の態様は、複数の介護者による被介護者に関する非公式の所見をたどり、非公式の所見に基づいて被介護者の健康状態を管理するための実行可能なフィードバックを複数の介護者に提供するように構成されたシステムに関する。このシステムは、被介護者に関する病歴情報を取得する手段を含む。病歴情報は、被介護者が経験した１つ又は複数の病状を含む被介護者の健康状態を示す。このシステムは、複数の介護者による非公式の所見の入力及び／又は選択を容易にするように構成されたグラフィカル・ユーザインターフェイスを提示させる手段を含む。グラフィカル・ユーザインターフェイスは、個々の介護者に関連付けられた個々のコンピュータ装置上に提示される。このシステムは、非公式の所見及び病歴情報を解析して、被介護者の健康状態又は被介護者が経験する医療イベントの１つ又は複数の変化を決定する手段を含む。このシステムは、その解析に基づいて実行可能なフィードバックを複数の介護者のために生成する手段を含む。実行可能なフィードバックは、被介護者の健康状態を管理するための推奨事項と、この推奨事項に関連するサポートコンテンツとを含む。サポートコンテンツは、１つ又は複数の外部データ源から取得した推奨事項に関連する情報を含む。システムは、実行可能なフィードバックを、グラフィカル・ユーザインターフェイスを介して複数の介護者に提示させる手段を含む。
【０００６】
本開示のこれら及び他の目的、特徴、及び特性、並びに構造の関連要素及び部品の組合せの動作及び機能の方法、及び製造の経済性は、添付の図面を参照して、以下の詳細な説明及び添付の特許請求の範囲を考慮する際により明らかとなろう。また、それらの全てが本明細書の一部を構成し、同様の参照番号は様々な図における対応する部分を示す。しかしながら、図面は、例示及び説明の目的のためだけであり、本開示の限界の規定を意図するものではないことは、明白に理解すべきである。
【図面の簡単な説明】
【０００７】
【図１】複数の介護者による被介護者に関する非公式の所見をたどり、非公式の所見に基づいて被介護者の健康状態を管理するための実行可能なフィードバックを複数の介護者に提供するように構成されたシステムの概略図である。
【図２】介護者ポータルソフトウェア・アプリケーションのランディングページ・ビューである。
【図３】被介護者に関する所見をたどるのを容易にする選択可能な所見カテゴリーを提示するユーザインターフェイスの例示的なビューである。
【図４】所見入力及び／又は選択フィールドを提示するユーザインターフェイスの例示的なビューである。
【図５】介護者によって作成された所見の月別の概要を示す図である。
【図６】活動所見カテゴリーの詳細な週毎の図である。
【図７】１ヶ月の所見の概要図である。
【図８】その月の幸福の所見の概要図である。
【図９】その月の運動性の所見の概要図である。
【図１０】その月の快適さの所見の概要図である。
【図１１】介護者による所見に関する情報の入力及び／又は選択を受け取るように構成された多くの可能なビューの第２の例である。
【図１２】介護者による所見に関する情報の入力及び／又は選択を受け取るように構成された多くの可能なビューの第３の例である。
【図１３】特定の所見カテゴリーの詳細な週表示の別の例である。
【図１４】システムに含まれるプロセッサによって実行される動作を要約する図である。
【図１５】複数の介護者による被介護者に関する非公式の所見をたどり、観察システムを用いて、非公式の所見に基づいて被介護者の健康状態を管理するための実行可能なフィードバックを複数の介護者に提供する方法を示す図である。
【発明を実施するための形態】
【０００８】
本明細書で使用される場合に、単数形の「１つの（a,  an）」及び「その（the）」は、文脈上他に明確に指示されない限り、複数の参照を含む。本明細書で使用される場合に、２つ以上の部品又は要素が「結合される」という記述は、リンクが生じる限り、複数の部品が、直接的又は間接的に、すなわち１つ又は複数の中間部品又は要素を介して一緒に接合又は動作されることを意味する。本明細書で使用される場合に、「直接的に結合される」とは、２つの要素が互いに直接的に接触していることを意味する。本明細書で使用される場合に、「固定して結合される」又は「固定される」とは、２つの構成要素が、互いに一定の向きを維持しながら移動するように結合されることを意味する。
【０００９】
本明細書で使用される場合に、「単一の」という用語は、構成要素が単一の部品又はユニットとして生成されることを意味する。つまり、別々に形成され、次に１つのユニットとして一緒に結合された複数の部品を含む構成要素は、「単一の」構成要素又は本体ではない。本明細書で使用される場合に、２つ以上の部品又は要素が互いに「係合する」という記述は、これらの部品が、直接的に、或いは１つ又は複数の中間部品又は要素を介して互いに力を及ぼすことを意味するものとする。本明細書で使用される場合に、用語「数」は、１又は１より大きい整数（すなわち、複数）を意味するものとする。
【００１０】
本明細書で使用される、例えば、限定するものではないが、上、下、左、右、上部、下部、前、後、及びこれらの派生語等の方向を示す句は、図面に示される要素の向きに関連し、特許請求の範囲に明確に記載されない限り、その特許請求の範囲を限定するものではない。
【００１１】
図１は、複数の介護者による被介護者１２に関する非公式の所見をたどり、この非公式の所見に基づいて被介護者１２の健康状態を管理するための実行可能なフィードバックを複数の介護者に提供するように構成されたシステム１０の概略図である。非公式の介護者は、ケアを受ける被介護者（例えば、ケア受容者１２）の健康及び／又は健康状態を定期的に観察する。例えば、家族内では、複数の非公式の介護者が、被介護者（例えば、ケア受容者１２等）に提供するケアを互いに調整して、作業量のバランスを図る。これらの介護者は、同じ被介護者を、大抵の場合に異なる機会に（例えば、日毎に、週毎に、１月の間で散発的に等）、異なる視点から（例えば、電話、顔を合わせる訪問、親しい友人として、娘、息子として等）、そして主観のレベルを変えて（例えば、個々の介護者は、「悪い」及び／又は「より悪い」の意味する基準について異なる知覚を有し、知覚される関心事について異なるレベルの判断基準等を有する可能性がある）観察する。例えば、被介護者１２による異常行動、被介護者１２の能力の変化、及び／又は潜在的な疾病の進行に目を光らせることによって、非公式で、構造化されていない方法で一般に観察される介護者データの一部が得られる。
【００１２】
任意の単一の所見、例えば実際に見た（witnessing）被介護者１２の躓き（trip）だけでは、介護者が、このイベントを介護サークル（例えば、被介護者１２をケアしている介護者のグループ）全体に報告するよう申し渡しすべきかを保証しかねる。しかしながら、同じ行動（例えば、躓き）が別の機会に他の介護者によって観察される場合に、懸念事項となる可能性がある。残念なことに、複数の介護者に、過度の潜在的な懸念を生じさせずに、（この例では）被介護者１２の躓きの複数の介護者による個別の所見を記録する術を与える既存のメカニズムはない。しかしながら、躓きの所見が記録されていない場合に、パターンは気付かれず、被介護者１２が倒れて傷つくまで、介護者は物事を一緒に結び付けない。所見を共有していれば、介護者は卒倒が生じるのを防ぎ得たかもしれない。
【００１３】
システム１０は、複数の介護者からの所見を記録し、所見によって伝達されたデータ内にパターンを見付け、及び被介護者１２の潜在的な低下する健康状態及び／又は被介護者１２が経験した医療イベントを介護者に通知するのを容易にする。システム１０は、例えば、愛する人（例えば、被介護者１２）のような病人及び／又は高齢者をケアする際に家族内で生じるデータ損失及び／又はコミュニケーション不足のための解決策を与える。データは、非公式の介護者が自分の愛する人の健康状態を時間の経過と共に見ることができるように、システム１０によって集約されて表示される。システム１０は、複数の介護者による被介護者１２の所見を記録し、仲間の介護者が作成した所見を閲覧し及び／又は思案し、被介護者１２の幸福状態の傾向を検討し、被介護者の医療従事者及び／又は他の活動者と共有することができるレポートを作成するのを容易にする。
【００１４】
介護者には、医療従事者及び／又はソーシャルケアスタッフ；在宅医療スタッフ；看護師；医師；親、子供、孫、及び／又は他の介護する親族；隣人；友人；及び／又は他の介護者が含まれ得る。一般的に、介護者には、被介護者１２に関する所見による判断を行うことができる人が含まれ得る。いくつかの実施形態では、システム１０は、１つ又は複数のセンサ１４、外部リソース１６、コンピュータ装置１８、プロセッサ２０、電子記憶装置５０、及び／又は他の構成要素を含む。
【００１５】
センサ１４は、被介護者１２の健康状態に関する情報を伝達する出力信号を生成するように構成される。いくつかの実施形態では、センサ１４は、病院、医院、及び／又は他の医療施設で使用される、バイタルサイン及び／又は他の生理学的情報を監視する機器（例えば、脈拍数モニター、血圧モニター、血液酸素モニター、グルコースモニター、体重計、体温計、心電図（EKG）装置、陣痛収縮モニター等）、検査機器（例えば、ＭＲＩ及び／又はＸ線装置等の画像化機器、超音波、脳波（EEG）装置）、被検体１２を治療するための機器（例えば、呼吸器／換気装置、光線療法装置等）、被検体１２に関連する情報を入力及び／又は選択するための装置（例えば、デスクトップコンピュータ、ラップトップコンピュータ、タブレットコンピュータ、スマートフォン、カメラ、ビデオ機器等）、及び／又は他の装置を含むが、これに限定されるものではない。
【００１６】
外部リソース１６は、情報源（例えば、データベース、ウェブサイト等）、システム１０に関系する外部エンティティ（例えば、被介護者１２の病歴情報を記憶するヘルスケア・プロバイダの医療記録システム）、外部ホーム監視システム、システム１０外部の１つ又は複数のサーバ、ネットワーク（例えば、インターネット）、電子記憶装置、Ｗｉ−Ｆｉ（登録商標）技術に関連する機器、Ｂｌｕｅｔｏｏｔｈ（登録商標）技術に関連する機器、データ入力装置、センサ、スキャナ、及び他の装置／又は他のリソースを含む。例えば、いくつかの実施形態では、外部リソース１６は、被介護者１２及び／又は他の被介護者の病歴情報が記憶されるデータベース、及び／又は他の情報源を含み得る。いくつかの実施態様では、本明細書で外部リソース１６に帰属する機能の一部又は全部は、システム１０に含まれるリソースによって提供され得る。外部リソース１６は、システム１０のプロセッサ２０、コンピュータ装置１８、センサ１４、電子記憶装置５０、及び／又は他の構成要素と、有線及び／又は無線接続を介して、ネットワーク（例えば、ローカルエリアネットワーク及び／又はインターネット）を介して、セルラー技術を介して、Ｗｉ−Ｆｉ（登録商標）技術を介して、及び／又は他のリソースを介して、通信するように構成され得る。
【００１７】
コンピュータ装置１８は、複数の介護者、被介護者１２、及び／又は他のユーザ及びシステム１０の間のインターフェイスを提供するように構成される。いくつかの実施形態では、個々のコンピュータ装置１８は、個々の介護者１８、被介護者１２、及び／又は他のユーザに関連付けられる。コンピュータ装置１８は、介護者、被介護者１２、及び／又は他のユーザに情報を提供し、介護者、被介護者１２、及び／又は他のユーザから情報を受け取るように構成される。例えば、コンピュータ装置１８は、被介護者１２に関する所見の入力及び／又は選択を容易にするグラフィカル・ユーザインターフェイス４０を介護者に提示するように構成される。いくつかの実施形態では、グラフィカル・ユーザインターフェイス４０は、例えば、コンピュータ装置１８、プロセッサ２０、及び／又はシステム１０の他の構成要素に関連する複数の別個のインターフェイスを含む。
【００１８】
いくつかの実施形態では、コンピュータ装置１８は、グラフィカル・ユーザインターフェイス４０、処理能力、データベース、及び／又は電子記憶装置をシステム１０に提供するように構成される。そのようなものとして、コンピュータ装置１８は、プロセッサ２０、電子記憶装置５０、外部リソース１６、センサ１４、及び／又はシステム１０の他の構成要素を含み得る。いくつかの実施形態では、コンピュータ装置１８は、ネットワーク（例えば、インターネット）に接続される。いくつかの実施形態では、コンピュータ装置１８は、プロセッサ２０、電子記憶装置５０、外部リソース１６、センサ１４、及び／又はシステム１０の他の構成要素を含まないが、代わりにネットワークを介してこれらの構成要素と通信する。ネットワークへの接続は、無線又は有線であってもよい。例えば、プロセッサ２０は、遠隔サーバに配置してもよく、グラフィカル・ユーザインターフェイス４０をコンピュータ装置１８上の介護者に無線で表示させることができる。いくつかの実施形態では、個々のコンピュータ装置１８は、ラップトップ、パーソナルコンピュータ、スマートフォン、タブレットコンピュータ、及び／又は他のコンピュータ装置である。個々のコンピュータ装置１８に含めるのに適したインターフェイス装置の例には、タッチスクリーン、キーパッド、タッチ感知及び／又は物理的ボタン、スイッチ、キーボード、ノブ、レバー、ディスプレイ、スピーカ、マイク、表示灯、可聴アラーム、プリンタ、及び／又は他のインターフェイス装置が含まれる。本開示は、個々のコンピュータ装置１８がリムーバブルストレージ・インターフェイスを含むことも企図している。この例では、情報は、介護者、被介護者１２、及び／又は他のユーザが、コンピュータ装置１８の実装態様をカスタマイズすることを可能にするように、（例えば、スマートカード、フラッシュドライブ、リムーバブルディスク等の）リムーバブルストレージからコンピュータ装置１８にロードされ得る。コンピュータ装置１８と共に使用するのに適した他の例示的な入力装置及び技術には、ＲＳ−２３２ポート、ＲＦリンク、ＩＲリンク、モデム（電話、ケーブル等）及び／又は他の装置が含まれるが、これらに限定されるものではない。
【００１９】
プロセッサ２０は、情報処理機能をシステム１０に提供するように構成される。そのようなものとして、プロセッサ２０は、１つ又は複数のデジタルプロセッサ、アナログプロセッサ、情報を処理するように設計されたデジタル回路、情報を処理するように設計されたアナログ回路、状態マシン、及び／又は情報を電子的に処理するための他の機構を含み得る。プロセッサ２０が図１に単一のエンティティとして示されているが、これは例示的なものに過ぎない。いくつかの実施形態では、プロセッサ２０は、複数の処理ユニットを含み得る。これらの処理ユニットは、同じ装置（例えばサーバ）内に物理的に配置してもよく、プロセッサ２０は、協調動作する複数の装置（例えば、１つ又は複数のサーバ、介護者に関連付けられた１つ又は複数のコンピュータ装置１８、被介護者１２及び／又は他のユーザに関連付けられたコンピュータ装置、センサ１４、外部リソース１６の一部である装置、電子記憶装置５０、及び／又は他の装置）の処理機能を示すことができる。
【００２０】
いくつかの実施形態では、プロセッサ２０、センサ１４、外部リソース１６、コンピュータ装置１８、電子記憶装置５０、及び／又は他の構成要素は、１つ又は複数の電子通信リンクを介して動作可能にリンクされ得る。例えば、そのような電子通信リンクは、少なくとも部分的に、インターネット等のネットワーク及び／又は他のネットワークを介して確立してもよい。これは限定することを意図するものではなく、本開示の範囲は、これらの構成要素がいくつかの他の通信媒体を介して動作可能にリンクされ得る実施形態を含むことが理解されよう。いくつかの実施形態では、プロセッサ２０は、クライアント／サーバ・アーキテクチャ、ピアツーピア・アーキテクチャ、及び／又は他のアーキテクチャに従ってセンサ１４、外部リソース１６、コンピュータ装置１８、電子記憶装置５０、及び／又は他の構成要素と通信するように構成される。
【００２１】
図１に示されるように、プロセッサ２０は、機械可読命令によって、１つ又は複数のコンピュータプログラム要素を実行する構成される。１つ又は複数のコンピュータプログラム要素は、１つ又は複数の医療情報要素２２、インターフェイス要素２４、解析要素２６、フィードバック要素２８、報告要素３０、及び／又は他の構成要素を含み得る。プロセッサ２０は、ソフトウェア；ハードウェア；ファームウェア；ソフトウェア、ハードウェア、及び／又はファームウェアのいくつかの組合せ；及び／又はプロセッサ２０上で処理能力を構成する他の機構によって構成要素２２、２４、２６、２８、及び／又は３０を実行するように構成され得る。
【００２２】
構成要素２２、２４、２６、２８、及び３０が図１に単一の処理ユニット内に一緒に配置されるように示されるが、プロセッサ２０が複数の処理ユニットを含む実施形態では、構成要素２２、２４、２６、２８、及び／又は３０の１つ又は複数は、他の構成要素から離れて配置してもよい。以下に説明する異なる構成要素２２、２４、２６、２８、及び／又は３０によって提供される機能性の説明は、説明目的であり、限定することを意図するものではなく、構成要素２２、２４、２６、２８、及び／又は３０のいずれかは、説明するものより多い又は少ない機能を提供し得る。例えば、構成要素２２、２４、２６、２８、及び／又は３０の１つ又は複数を除去し、その機能の一部又は全部を他の構成要素２２、２４、２６、２８、及び／又は３０によって提供してもよい。別の例として、プロセッサ２０は、構成要素２２、２４、２６、２８、及び／又は３０のうちの１つに属する機能の一部又は全部を実施し得る１つ又は複数の追加の構成要素を実行するように構成してもよい。
【００２３】
医療情報要素２２は、被介護者１２に関する病歴情報を取得するように構成される。病歴情報は、被介護者１２が経験した１つ又は複数の病状を含む被介護者１２の健康状態、及び／又は他の病歴情報を示す。被介護者１２の健康状態を示すことは、被介護者１２のバイタルサイン、被検者１２の健康状態、被検者１２に提供された以前の医療処置を記述する医療記録、及び／又は他の情報に関する情報を伝達することを含み得る。被介護者１２が経験した１つ又は複数の病状は、被介護者１２が（例えば、心疾患、癌、貧血、慢性閉塞性肺疾患、ＨＩＶ／ＡＩＤＳ、認知症、アルツハイマー病、糖尿病等）と診断された病気、被介護者１２が被った傷害（例えば、骨折、震盪、神経損傷、外傷、関節損傷、捻挫した靭帯等）、慢性的な病気（例えば、関節炎、喘息、脳卒中、骨粗鬆症、うつ病、皮膚症状、胸やけ等）、病気（例えば、インフルエンザ、肺炎、風邪等）、及び／又は他の情報を含む。いくつかの実施形態では、病歴情報は、外部リソース１６に含まれる１つ又は複数の外部データベース（例えば、ヘルスケア・プロバイダに関連付けられた医療記録データベース）、システム１０に含まれる電子記憶装置５０、１つ又は複数のセンサ１４、及び／又は病歴情報の他の情報源から取得される。
【００２４】
いくつかの実装態様では、医療情報要素２２は、病歴情報を取得することによって、介護者ポータルソフトウェア・アプリケーションが容易にされるように構成される。介護者ポータルソフトウェア・アプリケーションは、グラフィカル・ユーザインターフェイス４０及び／又はコンピュータ装置１８を介して介護者、被介護者１２、及び／又は他のユーザによってアクセスされ得る。介護者ポータルソフトウェア・アプリケーションは、介護者が被介護者１２に提供するケアを調整するための電子プラットフォームを提供する。このアプリケーションでは、介護者は、（例えば、被介護者１２）にケアを提供することに基づいて介護サークル内に編成される。介護者は、アプリケーションによって割り当てられた介護タスクを引き受けることにより、被介護者のケアに自発的に寄与することができる。介護者がボランティア活動できることの例としては、被介護者１２のために食料雑貨店をまわる（picking  up）こと、被介護者１２のために家事を終わらせること、医師の予約日時に被介護者１２を連れて行くこと、及び／又は他のタスクが含まれる。介護者ポータルソフトウェア・アプリケーションは、被介護者１２が経験した病状に関する情報、介護者が記録した以前の所見、介護者が被介護者１２に行ったタスク、被介護者１２のために行うべき今後のタスク、被介護者１２に関連するカレンダー上の今後の予定、及び／又は他の情報を含む被介護者プロフィールを含む。医療情報要素２２は、被介護者１２が経験した病状、被介護者１２に関連する１つ又は複数の介護サークル、今後のタスク及び／又は介護者が被介護者１２に行ったタスク、被介護者１２の今後の予定、及び／又は他の情報に関連する情報が、取得した病歴情報に含まれるように構成される。
【００２５】
インターフェイス要素２４は、介護者による（例えば、システム１０によって受け取られる）所見の入力及び／又は選択を容易にするグラフィカル・ユーザインターフェイス４０を提示させるように構成される。本明細書で説明するように、グラフィカル・ユーザインターフェイス４０は、個々の介護者に関連付けられた１つ又は複数のコンピュータ装置１８上に提示される。グラフィカル・ユーザインターフェイス４０は、被介護者１２に関する非公式の所見を受け取るように構成される。いくつかの実施形態では、所見は、１つ又は複数のテキスト形式の記述的メモ、評価付け（rating）、所見の日付、所見の時間、所見に関連する視覚画像、及び／又は他の所見を含む。グラフィカル・ユーザインターフェイス４０は、複数の介護者による非公式の所見の入力及び／又は選択を容易にするように構成される。グラフィカル・ユーザインターフェイス４０は、１つ又は複数の所見カテゴリーに対応する１つ又は複数のビューと、テキスト形式の記述的メモ、評価付け、日付、時間、視覚画像及び／又は他の所見に対応する個々のビュー内の１つ又は複数のフィールドとを含む。いくつかの実施形態では、所見の入力及び／又は選択に応答して、所見に基づく１つ又は複数のフォローアップの質問が、グラフィカル・ユーザインターフェイス４０を介して提示される。
【００２６】
いくつかの実施形態では、インターフェイス要素２４は、１つ又は複数のビューが、介護者による新しい所見の入力及び／又は選択を容易にするように構成された１つ又は複数のランディングページ（landing  page）・ビューを含むように構成される。いくつかの実施形態では、インターフェイス要素２４は、ユーザインターフェイス４０及び／又は所見のビューがカテゴリーに編成されるように構成される。これらのカテゴリーは、被介護者１２の身体、心、活動（activity）、運動性（mobility）、幸福（happiness）、快適さ（comfort）、及び／又は他の特性に関連し得る。例えば、カテゴリーは、「身体」、「幸福」、「活動」、「運動性」、「心」、「快適さ」、及び／又は他のカテゴリーを含むことができるが、これらに限定されるものではない。いくつかの実施形態では、インターフェイス要素２４は、ユーザインターフェイス４０の所与のビューにおいて、介護者が（例えば、所与のビューのカテゴリー選択フィールドを介して）所見を作成したいカテゴリーを選択するように構成される。インターフェイス要素２４は、追加の所見カテゴリーを追加することができ、及び／又は現在の所見カテゴリーを削除して、所見をまとめるべくカスタマイズするように構成される。カテゴリーは、コンピュータ装置１８及び／又はグラフィカル・ユーザインターフェイス４０を使用して行われた入力及び／又は選択を介して、介護者、被介護者１２、及び／又は他のユーザによって必要に応じて追加及び／又は削除することができる。カテゴリーを追加及び／又は削除することは、所見のカテゴリーを一時的にしかたどる必要がないシナリオに対応し得る。例えば、医師は、被介護者１２が医師を次に訪問するまで介護者が医薬品の副作用に関する所見を作成するように要請してもよい。これに応答して、介護者は、要求された所見に対して一時的な「副作用」所見カテゴリーを追加してもよい。いくつかの実施形態では、インターフェイス要素２４は、あらゆるカテゴリーに無関係の介護者による所見の入力及び／又は選択を容易にするように構成される。
【００２７】
インターフェイス要素２４は、介護者によるカテゴリー選択により、グラフィカル・ユーザインターフェイス４０を表示させ、所見に関連する情報の入力及び／又は選択が１つ又は複数の入力及び／又は選択フィールドを介して取り込まれる次のビューを介護者に表示させるように構成される。いくつかの実施形態では、所見に関連する入力及び／又は選択フィールドは、１つ又は複数の評価付けフィールド、日付及び／又は時間フィールド、記述フィールド、画像取得フィールド、及び／又は個々の所見のための他のフィールドを含む。いくつかの実施形態では、インターフェイス要素２４は、評価付けフィールドを介して入力された評価付けが、絵文字、テキスト、数値入力、及び／又は他のフォーマットの形式であるように構成される。非限定的な例として、評価付けの絵文字は、「良い／より良い」の評価を表す緑色の笑顔、「まずまず（so-so）／いつもと同じ」の評価を表す黄色の普通の（neutral）顔、及び／又は「悪い／より悪い」評価を表す赤い眉をしかめた顔を含み得る。記述フィールドを介して行われた入力及び／又は選択は、他の介護者が評価を解釈するためのコンテキストを提供し得る。これは、同時に観察される被介護者１２の同じ特徴について観察を行う２人の異なる介護者が、その特徴を異なるように知覚する（例えば、評価する）ことがあり得るので有用であり得る。
【００２８】
いくつかの実施形態では、インターフェイス要素２４は、グラフィカル・ユーザインターフェイス４０のビューの１つ又は複数のフィールドを介して介護者に追加の質問を提示するように構成される。質問は、介護者からの追加の実行可能な情報の収集を容易にするように構成される。これは、収集された情報の構造を強化させる（例えば、所見の分類を強化し、所見を同じ介護者及び／又は他の介護者からの他の所見と結びつけ、互いに所見をランク付けする等）ことができ、解析要素２６（後述）によって実行される解析の質を向上させ、及び／又は他の効果を有することができる。
【００２９】
いくつかの実施形態では、インターフェイス要素２４は、グラフィカル・ユーザインターフェイス４０を提示させ、介護者、被介護者１２、及び／又は他のユーザに所見の１つ又は複数の要約ビューを提示させるように構成される。例えば、インターフェイス要素２４は、グラフィカル・ユーザインターフェイス４０の１つ又は複数のビューの１つ又は複数のフィールドを介したコマンド及び／又は要求の入力及び／又は選択により、グラフィカル・ユーザインターフェイス４０に、日毎、週毎、月毎、年毎、カテゴリー別、介護者別等の、介護者から受け取った所見の概要を提示させる。所与の要約を考慮して、介護者が、特定の所見及び／又は所見カテゴリーを（例えば、対応する選択フィールドを介して）入力及び／又は選択し、（選択の結果として表示される後続のビュー及び／又はフィールドを介して）そのカテゴリーの所見に関する詳細情報の提供を受けることができる。
【００３０】
いくつかの実施形態では、インターフェイス要素２４は、１人又は複数の介護者及び／又は被介護者１２が管理者として指定されるように構成される。指定された管理者は、システム１０の製造時に決定され、コンピュータ装置１８を介して被介護者１２及び／又は介護者によって行われる入力及び／又は選択を介して決定され、及び／又は他の方法で決定され得る。インターフェイス要素２４は、管理者が、他の介護者が有するグラフィカル・ユーザインターフェイス４０の１つ又は複数のビュー及び／又はフィールドに対する（例えば、読取り専用アクセス、読取り／書込みアクセス等の）アクセスのレベルを（例えば、グラフィカル・ユーザインターフェイス４０を介して行われた入力及び／又は選択を介して）制御する能力を有するように構成される。例えば、所見カテゴリー「身体」は、被介護者１２が感じ取った痛みに関する所見を含み得る。このカテゴリーの所見は、被介護者１２の介護サークル内の全ての介護者にアクセス可能にされ、そのため介護者は、任意の介護者によって作成された所見を見ることができ、自分自身の所見をたどることができる。別の例として、所見カテゴリー「心」の所見は、介護者が認知症及び／又は他の認知状態について有する懸念を反映し得る。インターフェイス要素２４は、管理者が、この種の情報が必要でない介護サークルメンバーの介護者（例えば、孫、隣人等）からこのカテゴリーを（例えば、グラフィカル・ユーザインターフェイス４０を介して行われた入力及び／又は選択を介して）隠すべく決定するように構成される。これにより、被介護者１２のプライバシーを依然として保護しながら、そのようなブロックされた介護者からの所見の継続した受け取りが容易になる。
【００３１】
図２〜図１３は、グラフィカル・ユーザインターフェイス４０の様々なビュー及びフィールドを示す。図２〜図１３に示されるビューは例であり、限定することを意図するものではない。図２〜図１３のグラフィカル・ユーザインターフェイス４０のビュー及びフィールドは、個々の介護者に関連付けられたスマートフォン（ただし、これに限定されるものではない）を含むコンピュータ装置１８上で介護者、被介護者１２、及び／又は他のユーザに提示される。介護者、被介護者１２、及び／又は他のユーザは、図２〜図１３に示されるビュー、及び／又は図２〜図１３に示されるナビゲーションフィールド及び／又は他のフィールドを使用する他のビューの間で、及び／又はグラフィカル・ユーザインターフェイス４０、コンピュータ装置１８、及び／又は他のコンピュータ装置を介して入力及び／又は選択される他のコマンド及び／又はプロンプトを介して、ナビゲートすることができる。（例えば、この開示は図３〜図１３に示されるナビゲーションフィールドのみに限定すべきではない）。
【００３２】
図２は、介護者ポータルソフトウェア・アプリケーションのランディングページ・ビュー２００を示す。ビュー２００は、スマートフォンの状態フィールド２０２、ナビゲーションフィールド２０４、画像表示フィールド２０６、予定フィールド２０８、ｔｏ−ｄｏ（やるべきこと）フィールド２１０、メッセージフィールド２１２、及び所見フィールド２１４を含む。スマートフォンの状態フィールド２０２は、スマートフォンによって実行される様々な機能（例えば、Ｗｉ−Ｆｉ（登録商標）及び／又はＢｌｕｅｔｏｏｔｈ（登録商標）接続、電力レベル等）の状態示す。ナビゲーションフィールド２０４は、介護者ポータルソフトウェア・アプリケーション内のナビゲーションを確認するのを容易にする。画像表示フィールド２０６は、介護者ポータルソフトウェア・アプリケーションの背景画像及び／又はタイトル画像を表示する。予定フィールド２０８、ｔｏ−ｄｏフィールド２１０、及び／又はメッセージフィールド２１２は、（例えば、被介護者１２に関連する介護サークル内の）複数の介護者によって被介護者１２（図１に示される）に提供されるケアの調整を容易にする。被介護者１２に関する予定のリストは、予定フィールド２０８を介してアクセスされ得る。被介護者１２にケアを行うべきタスクのリストは、ｔｏ−ｄｏフィールド２１０を介してアクセスされ得る。介護者及び／又は被介護者１２の間のメッセージは、メッセージフィールド１２を介してアクセスされ得る。図２に示されるように、この特定のコンピュータ装置１８に関連付けられた介護者は、フィールド２１２に「１」で示されるペンディングメッセージを有する。介護者は、本明細書で説明するように所見フィールド２１４を介して被介護者１２に関する所見を記録し得る。
【００３３】
図３及び図４は、被介護者１２（図１）に関する所見をたどるのを容易にするユーザインターフェイス４０の例示的なビュー３００及び４００を示す。ビュー３００は、新しい所見のための選択可能な所見カテゴリーフィールド３０２を提示する。選択可能な所見カテゴリーフィールド３０２は、「身体」カテゴリーフィールド３０４、「幸福」カテゴリーフィールド３０６、「活動」カテゴリーフィールド３０８、「運動性」カテゴリーフィールド３１０、及び「心」カテゴリーフィールド３１２を含む。いくつかの実施形態では、介護者は、「スキップ」フィールド３１４を利用して、所見を分類することなく、所見を記録する（例えば、所見に関連する情報を入力及び／又は選択する）ことができる。
【００３４】
ビュー４００は、「身体」所見カテゴリー３０４に対する所見入力及び／又は選択フィールド４０２を提示する。例えば、ビュー３００の「身体」カテゴリーフィールド３０４を選択することによって、ビュー４００にアクセスすることができる。介護者は、評価付けフィールド４０４を介した評価付け、日付／時間フィールド４０６を介した日付及び／又は時間、記述フィールド４０８を介した記述、添付フィールド４１０を介した画像及び／又は他の添付、及び／又は新しい所見のための他の情報を提供することができる。図４に示されるように、いくつかの実施形態では、評価付けは、「良い」評価を表す緑色の笑顔、「まずまず」の評価を表す黄色の普通の顔、「悪い」評価を表す赤い眉をしかめた顔の絵文字を介して選択される。介護者は、「追加」フィールド４１２を介してシステム１０が受け取った被介護者１２（図１）に関する新しい所見を他の所見に「追加」することができる。介護者は、「保存」フィールド４１４を介して進行中の観察による所見を保存することができる。
【００３５】
図５及び図６は、介護者が作成した所見を要約するために介護者に提示されるビュー５００及び６００の一部を示す。ビュー５００は、介護者が作成した所見のある月（例えば、９月）の概要を示す。この例では、ある日付上の色付き円５０２は、その日に少なくとも１つの所見が作成されたことを示し、円の色は、全ての所見カテゴリーに亘った、その日の最も低い評価の所見を示す。ビュー５００は、所見が作成された日数と、その月の介護者の全体的な大まかな評価とを伝達する迅速な視覚情報を所与の介護者に提供する。フィールド５０４及び５０６は、その月の所見カテゴリーによる評価付けを要約する。例えば、９月の活動所見（フィールド５０４）の評価は（例えば、活動アイコンの周りの全体が緑色の円が示すように）１００％で良好であった。９月の身体所見（フィールド５０６）の評価は、良好が約５０％、まずまずが５０％であった。
【００３６】
ビュー６００は、活動所見カテゴリーの週毎の詳細なビューを示す。評価付けフィールド６０２による活動の所見数は、記述フィールド６０４、作成者（例えば、介護者）フィールド６０６、及びその週の２つの個々の所見についての評価付けフィールド６０８と共に示される。フィールド６１０は、この特定の１週間の活動所見評価をまとめたものである。
【００３７】
図７〜図１０は、２０１６年３月の月別の所見の要約ビュー７００、８００、９００、１０００を示す。要約ビュー７００−１０００は、新しい所見生成フィールド７０２と、日付フィールド７０４と、カレンダフィールド７０６と、所見カテゴリーフィールド７０８、８０８、９０８、１００８と、色分けされた評価要約フィールド７１０、８１０、９１０、及び１０１０と、カテゴリーフィールド７１２、８１２、９１２、及び１０１２毎の評価の数と、ビューからビューへのナビゲーション指示フィールド７１４とを含む。カレンダフィールド７０６は、現在の日付インジケータ７１６と、システム１０（図１）が所見を受け取った月の個々の日にちを示すインジケータ７１８とを含む。図７に示されるように、２０１６年３月に、トータル６つの所見が受信された。そのうちの約半数が「悪い／より悪い」（評価要約フィールド７１０の赤い部分７２０）と評価され、約６分の１が「まずまず／同じ」（評価要約フィールド７１０の黄色部分７２２）と評価され、約３分の１が「良い／より良い」（評価要約フィールド７１０の緑色部分７２４）と評価された。図８に示されるように、トータル１つの幸福の所見が受信された。１つの幸福の所見は「良い／より良い」と評価された。図９に示されるように、トータル２つの運動性の所見が受信された。両方の運動性の所見は「悪い／より悪い」と評価された。図１０に示されるように、トータル２つの快適さの所見が受信された。１つの快適さの所見は、「良い／より良い」（例えば、円の半分１０２０が緑色である）と評価され、１つの快適さの所見は「悪い／より悪い」（例えば、円の他の半分１０２２が赤色である）と評価された。
【００３８】
図１１及び図１２は、コンピュータ装置１８上に提示されるグラフィカル・ユーザインターフェイス４０のビュー１１００及び１２００を示す。ビュー１１００（図１１）は、図４のビュー４００と同様である（例えば、ビュー１１００は、介護者による所見に関する情報の入力及び／又は選択を受け取るように構成された多くの可能なビューのうちの第２の例である）が、「快適さ」所見カテゴリーの所見入力及び／又は選択フィールド１１０２を提示する。介護者は、評価付けフィールド１１０４を介した評価付け、日付／時間フィールド１１０６を介した日付及び／又は時間、記述フィールド１１０８を介した記述、及び／又は記述フィールド１１０８を介した画像及び／又はその他の添付、及び／又は新しい所見のための他の情報を提供することができる。図１１では、介護者によって評価付けフィールド１１０４に「より悪い」が選択された。図１２及びビュー１２００は、図１１及びビュー１１００と同様である。ただし、図１２では、介護者によって評価付けフィールド１１０４に「同じ」が選択された。
【００３９】
図１３は、（図６に示される）ビュー６００と同様のグラフィカル・ユーザインターフェイス４０のビュー１３００を示す。ビュー１３００は、快適さの所見カテゴリーの週毎の詳細なビューを示す。評価付けフィールド１３０２による快適さの所見数が、記述フィールド１３０４、作成者（例えば、介護者）フィールド１３０６、及びその週の２つの個別の所見についての評価付けフィールド１３０８と共に示される。ビュー６００及びビュー１３００は、特定の所見カテゴリーからの所見の一週間（及び／又は他の長さの時間）の詳細なビューを示す多くの可能なバージョンのビューの例である。
【００４０】
図１に戻ると、解析要素２６は、非公式の所見、病歴情報、及び／又は他の情報を解析するように構成される。非公式の所見、病歴情報、及び／又は他の情報は、被介護者１２の健康状態の変化及び／又は予測される変化（例えば、改善及び／又は衰退）、被介護者１２が経験した医療イベント、被介護者１２が経験する可能性の高い予測される医療イベント、及び／又は他の情報の１つ又は複数を決定するために解析される。いくつかの実施形態では、被介護者１２が経験した及び／又は被介護者１２が経験する可能性のある医療イベントは、１つ又は複数の心臓発作、脳卒中、卒倒、肺疾患の悪化及び／又は他のイベントを含む。いくつかの実施形態では、解析要素２６は、被介護者１２の現在の及び／又は予測される健康状態を判断する。複数の介護者が複数のカテゴリーで複数の所見を何度も提供すると、被介護者１２の健康及び／又は健康状態に関して生成された情報量が大きくなる。例えば、介護者にとって毎日、傾向、パターンを認識し、及び／又は異なるカテゴリーの追跡される所見同士の間の相関付けを行うことは困難であり得る。解析要素２６は、介護者からの所見によって伝達された情報、病歴情報、及び／又は他の情報に基づいて、健康状態の潜在的変化（例えば、減退及び／又は増加）を検出及び／又は予測するように構成される。
【００４１】
いくつかの実施形態では、解析は、テキスト形式の記述的メモ、視覚画像、及び／又は他の所見の解析を容易にするように構成された自然言語処理（NLP）及び画像処理技術を使用する前処理及び特徴抽出工程を含む。例えば、自然言語処理技術がテキストデータに適用され、画像処理技術が、所見に添付された任意の写真に適用される。データに適用できるいくつかのＮＬＰ技術には、提供されたテキストデータの肯定的／否定的、主観的／客観的、又は特徴／態様情報を調べる感情解析が含まれる。画像データがコンピュータビジョン技術で使用されるとき、それは治癒過程にある組織を解析する。画像が取得されると、画像から特徴を抽出するためにセグメント化アルゴリズムが使用される。時間の経過に伴う画像の比較によって、例えば創傷がどのように治癒しているかに関する情報が提供されよう。
【００４２】
いくつかの実施形態では、解析は、カテゴリー特徴（例えば、特定のカテゴリーについてどの位「悪い」評価がなされているか）、カテゴリーの組合せをカバーする特徴（例えば、「幸福」について「悪い」総合評価は、「身体」についての「悪い」総合評価に関連する）内の決定、及び／又は他の決定を含む。いくつかの実施形態では、解析要素２６は、解析結果（例えば、被介護者１２の健康状態の変化の決定、被介護者１２が経験する医療イベント、及び／又は他の情報）をフィードバック要素２８に伝達する。いくつかの実施形態では、このコミュニケーションは、解析に基づいた所見の１つ又は複数のカテゴリーに関連する情報を含む。
【００４３】
フィードバック要素２８は、実行可能なフィードバックを介護者のために生成するように構成される。実行可能なフィードバックは、解析及び／又は他の情報に基づいて介護者のために生成される。いくつかの実施形態では、フィードバック要素２８は、実行可能なフィードバックを、コンピュータ装置１８及び／又は他のコンピュータ装置上で複数の介護者に提示させるように構成される。実行可能なフィードバックは、グラフィカル・ユーザインターフェイス４０及び／又は他のインターフェイスを介して複数の介護者に提示される。実行可能なフィードバックは、被介護者１２の健康状態を管理するための推奨事項、推奨事項に関連するサポートコンテンツ、アラート、及び／又は他の情報を含む。推奨事項には、医師及び／又は他の医療サービス提供者を訪問する提案、生活習慣及び／又は食生活変更の提案、被介護者１２の家庭環境を変更する（例えば、家庭にエアフィルターを設置し、家をより暖かく維持し、躓きを減らすために家具を再配置する）提案、介護者が被介護者１２を訪問する提案、介護者が被介護者１２と行うべき話し合い（例えば、話し合いのトピック）の提案、他の介護者の助けを促す提案、及び／又はその他の推奨事項が含まれ得る。サポートコンテンツには、１つ又は複数の外部データ源及び／又は他のソースから取得した推奨事項に関連する情報が含まれる。いくつかの実施形態では、サポートコンテンツには、１つ又は複数の記事、ビデオ、ウェブサイト、報道記事、ソーシャルメディア投稿、及び／又は他のサポートコンテンツが含まれる。いくつかの実施形態では、サポートコンテンツは、医学文献データベース（例えば、記事）、インターネット（例えば、ブログ等のウェブサイト）、ソーシャルメディアソース（例えば、ソーシャルメディア投稿）、情報発信源（例えば、報道記事）、及び／又は他の情報源等の１つ又は複数の外部情報源（例えば、外部リソース１６）から取得される。実施形態では、アラートは、グラフィカル・ユーザインターフェイス４０及び／又はコンピュータ装置１８、電子メール、テキスト、電話、及び／又は他のアラートを介して伝達される視覚的（例えば、カラーコード化）及び／又は可聴アラートを含む。いくつかの実施形態では、アラートは、実行可能なフィードバックと共に表示されてもよく、及び／又は他に実行可能なフィードバックに組み込んでもよい。いくつかの実施形態では、推奨事項及び／又はサポートコンテンツとは別にアラートを介護者に提供することができる。
【００４４】
非限定的な例として、先週に作成された所見に基づいて、解析要素２６は、被介護者１２が倒れるリスクが高いと予測することができる。アラートが、フィードバック要素２８を介して介護者に提供される。フィードバック要素２８は、被介護者１２にとってより安全となるように家をどの様に改造するかに関するアドバイスを提供する記事を（例えば、外部リソース１６に含まれる）ＡＡＲＰ記事データベースから引き出し、また、介護者が個人の緊急時対応システムを検討するように提案する。
【００４５】
第２の非限定的な例として、医療情報要素２２、インターフェイス要素２４、解析要素２６、フィードバック要素２８、及び／又は他の構成要素によって実行される動作が図１４に要約される。図１４に示されるように、介護者の所見１４０２及び（例えば、病歴情報を含む）被介護者プロフィール情報１４０４は、介護者ポータルアプリケーション１４０６を介して、及び／又は他の情報源から（例えば、図１に示される医療情報要素及びインターフェイス要素２４に関連して上述したように）取得される。この取得された情報は、（例えば、図１に示される解析要素２６に関連して上述したように）解析される（１４０８）。解析は、前処理及び特徴抽出１４１０；被介護者１２（図１）の健康状態の変化及び／又は予測される変化（例えば、改善及び／又は減退）、被介護者１２が経験した医療イベント、被介護者１２が経験する可能性の高い予測される医療イベント、及び／又は他の情報の１つ又は複数の決定１４１２；アラート発生１４１４；及び／又は他の動作を含む。解析の完了に応答して、実行可能なフィードバック１４１６が介護者のために生成される（１４１８）。
【００４６】
図１に戻ると、いくつかの実施形態では、報告要素３０は、要約レポートを作成するように構成される。介護者が被介護者１２の現在の及び／又は予測される健康状態、被介護者１２の健康状態の変化の判断、被介護者１２が経験した医療イベント、及び／又は被介護者１２に関する他の情報を、ヘルスケア・プロバイダ及び／又は他のエンティティと共有することが有用な場合がある。報告要素３０は、そのような情報の概要を介護者に提供（例えば、プリントアウト、電子メール等）し、次に例えば医師と共有できるように構成される。要約レポートは、実行可能なフィードバック、解析、非公式の所見、及び／又は他の情報に基づいて、ヘルスケア・プロバイダ及び／又は他の介護者のために生成される。例えば、介護者及び／又は被検者は、生成された要約レポートを医師の予約診察に持って行き、生成されたレポートを医師及び／又は被検者を治療する他の介護者等に伝達する（例えば、電子メールで送る）ことができる。いくつかの実施形態では、報告要素３０は、介護者が（例えば、グラフィカル・ユーザインターフェイス４０の１つ又は複数のビュー内の１つ又は複数のフィールドを介して）レポートを要求し、（例えば、再び、グラフィカル・ユーザインターフェイス４０の１つ又は複数のビュー内の１つ又は複数のフィールドを介して）、どの項目を要約レポートに含めるか、レポートが要約するべき所見の日付範囲、及び／又はそれに含めるべき他の情報を決定できるように構成される。例えば、以前の予約診断では、医師は被介護者１２が摂取する投薬量を変更し、介護者が次週まで被介護者１２の症状を監視するように要請した。それに応じて、介護者は「医薬品による症状」と呼ばれる所見カテゴリーを作成し、その次週までの所見を記録することができる。フォローアップの予定が発生した場合に、介護者は、医院の診察室でのこの情報を思い出すことなく、医薬品による症状のカテゴリーについて作成した所見レポートを医師に示すことができる。有利には、これは患者、介護者、医師の間のコミュニケーションを増加させる。
【００４７】
電子記憶装置５０は、情報を電子的に記憶する電子記憶媒体を含む。電子記憶装置５０の電子記憶媒体は、システム１０と一体的に（すなわち、実質的に取り外し不可能に）設けられるシステム記憶装置、及び／又は例えばポート（例えば、ＵＳＢポート、ファイヤーワイヤー・ポート等）又はドライブ（例えば、ディスクドライブ等）を介してシステム１０に取り外し可能に接続可能な着脱可能な記憶装置の一方又は両方を含み得る。電子記憶装置５０は、システム１０内の（全体的に又は部分的に）別個の構成要素であってもよく、又は電子記憶装置５０は、システム１０の１つ又は複数の他の構成要素（例えば、コンピュータ装置１８、プロセッサ２０等）と（全体的に又は部分的に）一体的に設けられ得る。いくつかの実施形態では、電子記憶装置５０は、プロセッサ２０と一緒にサーバ内に、外部リソース１６の一部であるサーバ内に、介護者及び／又は他のユーザに関連付けられたコンピュータ装置１８内に、及び／又は他の位置に配置され得る。電子記憶装置５０は、１つ又は複数の光学的に読み取り可能な記憶媒体（例えば、光ディスク等）、磁気的に読み取り可能な記憶媒体（例えば、磁気テープ、磁気ハードドライブ、フロッピー（登録商標）ドライブ等）、電荷ベースの記憶媒体（例えば、ＥＰＲＯＭ、ＲＡＭ等）、ソリッドステート記憶媒体（例えば、フラッシュドライブ等）、及び／又は他の電子的に読み取り可能な記憶媒体を含み得る。電子記憶装置５０は、ソフトウェアアルゴリズム、プロセッサ２０によって決定された情報、コンピュータ装置１８及び／又はグラフィカル・ユーザインターフェイス４０及び／又は他の外部コンピュータシステムを介して受信した情報、外部リソース１６から受信した情報、センサ１４から受信した情報、システム１０が本明細書で説明したように機能することを可能にする他の情報を記憶し得る。非限定的な例として、電子記憶装置５０は、介護者によって作成された所見に関連する情報及び／又は他の情報を記憶することができる。
【００４８】
図１５は、複数の介護者による被介護者に関する非公式の所見をたどり、観察システムを用いて、非公式の所見に基づいて被介護者の健康状態を管理するための実行可能なフィードバックを複数の介護者に提供する方法１５００を示す。このシステムは、１つ又は複数のハードウェア・プロセッサ及び／又は他の構成要素を含む。１つ又は複数のハードウェア・プロセッサは、機械可読命令によって、コンピュータプログラム要素を実行するように構成される。コンピュータプログラム要素は、医療情報要素、インターフェイス要素、解析要素、フィードバック要素、報告要素、及び／又は他の構成要素を含む。以下に提示される方法１５００の動作は、例示的なものであることが意図される。いくつかの実施形態では、方法１５００は、説明していない１つ又は複数の追加の動作を用いて、及び／又は説明した１つ又は複数の動作なしで達成され得る。さらに、方法１５００の動作が図１５に示され、以下で説明する順序は、限定することを意図するものではない。
【００４９】
いくつかの実施形態では、方法１５００は、１つ又は複数の処理装置（例えば、デジタルプロセッサ、アナログプロセッサ、情報を処理するように設計されたデジタル回路、情報を処理するように設計されたアナログ回路、状態マシン、及び／又は情報を電子的に処理するための他の機構）で実施され得る。１つ又は複数の処理装置は、電子記憶媒体に電子的に記憶された命令に応答して、方法１５００の動作の一部又は全部を実行する１つ又は複数の装置を含み得る。１つ又は複数の処理装置は、方法１５００の１つ又は複数の動作を実行するために特別に設計されるハードウェア、ファームウェア、及び／又はソフトウェアによって構成された１つ又は複数の装置を含み得る。
【００５０】
動作１５０２において、被介護者に関する病歴情報が取得される。病歴情報は、被介護者が経験した１つ又は複数の病状を含む被介護者の健康状態、及び／又は他の病歴情報を示す。いくつかの実施形態では、病歴情報は、１つ又は複数の外部データベース（例えば、ヘルスケア・プロバイダに関連付けられた医療記録データベース）、システム１０に含まれる電子記憶装置（例えば、図１に示される電子記憶装置５０）、被介護者の健康状態に関連する情報を伝達する出力信号を生成するように構成された１つ又は複数のセンサ（例えば、センサ１４）、及び／又は病歴情報の他の情報源から取得される。いくつかの実施形態では、動作１５０２は、プロセッサ要素によって、医療情報要素２２（図１に示され、本明細書で説明される）と同じ又は同様に実行される。
【００５１】
動作１５０４において、グラフィカル・ユーザインターフェイスが提示される。グラフィカル・ユーザインターフェイスは、被介護者に関する非公式の所見を受け取るように構成される。いくつかの実施形態では、所見は、１つ又は複数のテキスト形式の記述的メモ、評価付け、所見の日付、所見に関連する視覚画像、及び／又は他の所見を含む。グラフィカル・ユーザインターフェイスは、複数の介護者による非公式の所見の入力及び／又は選択を容易にするように構成される。グラフィカル・ユーザインターフェイスは、個々の介護者に関連付けられた個々のコンピュータ装置上に提示される。グラフィカル・ユーザインターフェイスは、１つ又は複数の所見カテゴリーに対応する１つ又は複数のビューと、テキスト形式の記述的メモ、評価付け、日付、視覚画像、及び／又は他の所見に対応する個々のビュー内の１つ又は複数のフィールドとを含む。いくつかの実施形態では、所見の入力及び／又は選択に応答して、所見に基づく１つ又は複数のフォローアップの質問が、グラフィカル・ユーザインターフェイスを介して提示される。いくつかの実施形態では、動作１５０４は、プロセッサ要素によって、インターフェイス要素２４（図１に示され、本明細書で説明される）と同じ又は同様に実行される。
【００５２】
動作１５０６において、非公式の所見、病歴、及び／又は他の情報が、解析される。非公式の所見、病歴情報、及び／又は他の情報は、１つ又は複数の被介護者の健康状態の変化、被介護者が経験する医療イベント、及び／又は他の情報を決定するために解析される。いくつかの実施形態では、被介護者が経験する医療イベントは、１つ又は複数の心臓発作、脳卒中、卒倒、及び／又は他のイベントを含む。この解析は、テキスト形式の記述的メモ、視覚画像、及び／又は他の所見の解析を容易にするように構成された自然言語処理及び画像処理技術を使用する前処理及び特徴抽出工程を含む。いくつかの実施形態では、動作１５０６は、プロセッサ要素によって、解析要素２６（図１に示され、本明細書で説明される）と同じ又は同様に実行される。
【００５３】
動作１５０８において、実行可能なフィードバックが介護者のために生成される。実行可能なフィードバックは、解析に基づいて複数の介護者に対して生成される。実行可能なフィードバックは、被介護者の健康状態を管理するための推奨事項、推奨事項に関連するサポートコンテンツ、及び／又は他の情報を含む。サポートコンテンツは、１つ又は複数の外部データ源及び／又は他のソースから取得した推奨事項に関連する情報を含む。いくつかの実施形態では、サポートコンテンツは、１つ又は複数の記事、ビデオ、ウェブサイト、及び／又は他のサポートコンテンツを含む。いくつかの実施形態では、動作１５０８は、プロセッサ要素によって、フィードバック要素２８（図１に示され、本明細書で説明される）と同じ又は同様に実行される。
【００５４】
動作１５１０において、実行可能なフィードバックが提示される。実行可能なフィードバックは、グラフィカル・ユーザインターフェイスを介して複数の介護者に提示される。いくつかの実施形態では、動作１５１０は、プロセッサ要素によって、フィードバック要素２８（図１に示され、本明細書で説明される）と同じ又は同様に実行される。
【００５５】
動作１５１２において、要約レポートが作成される。要約レポートは、実行可能なフィードバック、解析、非公式の所見、及び／又は他の情報に基づいてヘルスケア・プロバイダのために生成される。例えば、介護者及び／又は被検者は、要約レポートを医師の予約診察に持って行き、医師及び／又は被検者を治療する他の介護者等にそのレポートを伝達する（例えば、電子メールで送る）ことができる。いくつかの実施形態では、動作１５１２は、プロセッサ要素によって、報告要素３０（図１に示され、本明細書で説明される）と同じ又は同様に実行される。
【００５６】
特許請求の範囲において、括弧内に置かれた任意の参照符号は、請求項を限定するものとして解釈すべきではない。「備える、有する、含む（comprising）」、又は「含む、有する（including）」という単語は、請求項に列挙された以外の要素又はステップの存在を排除するものではない。いくつかの手段を列挙する装置の請求項において、これらの手段のいくつかは、同一のハードウェア項目によって具体化してもよい。ある要素に先行する単語「１つの（a,  an）」は、そのような複数の要素の存在を排除するものではない。いくつかの手段を列挙する装置の請求項において、これらの手段のいくつかは、同一のハードウェア項目によって具体化してもよい。特定の要素が互いに異なる従属請求項に列挙されているという単なる事実は、これらの要素を組み合わせて使用することができないことを示すものではない。
【００５７】
上で提供された説明は、現在最も実用的で好ましい実施形態であると現在考えられているものに基づいて、例示を目的として詳細に説明するが、そのような詳細はその例示目的のみであり、本開示は明らかに開示された実施形態に限定されるものではなく、逆に、添付の特許請求の範囲の精神及び範囲内にある変更及び均等な構成を網羅することが意図されることを理解されたい。例えば、本開示は、可能な限り、実施形態の１つ又は複数の特徴を他の実施形態の１つ又は複数の特徴と組み合わせることができることを企図することを理解されたい。
【図１】
2019515398.tif 000003
【図２】
2019515398.tif 000004
【図３】
2019515398.tif 000005
【図４】
2019515398.tif 000006
【図５】
2019515398.tif 000007
【図６】
2019515398.tif 000008
【図７】
2019515398.tif 000009
【図８】
2019515398.tif 000010
【図９】
2019515398.tif 000011
【図１０】
2019515398.tif 000012
【図１１】
2019515398.tif 000013
【図１２】
2019515398.tif 000014
【図１３】
2019515398.tif 000015
【図１４】
2019515398.tif 000016
【図１５】
2019515398.tif 000017
【手続補正書】
【提出日】平成30年11月14日(2018.11.14)
【手続補正１】
【補正対象書類名】特許請求の範囲
【補正対象項目名】全文
【補正方法】変更
【補正の内容】
【特許請求の範囲】
【請求項１】
複数の介護者による被介護者に関する非公式の所見をたどり、該非公式の所見に基づいて前記被介護者の健康状態を管理するための実行可能なフィードバックを前記複数の介護者に提供するように構成されたシステムであって、該システムは、１つ又は複数のハードウェア・プロセッサを含み、該ハードウェア・プロセッサは、機械可読命令によって、
前記被介護者に関する病歴情報を取得することであって、該病歴情報は、前記被介護者が経験した１つ又は複数の病状を含む前記被介護者の健康状態を示す、取得することと、
前記複数の介護者のそれぞれによる前記非公式の所見の入力を容易にするように構成されたグラフィカル・ユーザインターフェイスを提示させることであって、該グラフィカル・ユーザインターフェイスは、個々の介護者に関連付けられた個々のコンピュータ装置上に提示される、提示させることと、
自然言語処理感情解析を使用して前記非公式の所見を処理して、各非公式の所見を、肯定的、否定的、主観的、客観的、特徴関連、及び態様関連の少なくとも１つとして分類することと、
前記処理された非公式の所見及び前記病歴情報の中の傾向を決定することにより、前記処理された非公式の所見及び前記病歴情報を解析して、前記被介護者の健康状態又は前記被介護者が経験する医療イベントの１つ又は複数の変化を特定することと、
前記解析に基づいて、実行可能なフィードバックを前記複数の介護者の少なくとも１人のために生成することであって、前記実行可能なフィードバックは、前記被介護者の健康状態を管理するための推奨事項と、該推奨事項に関連するサポートコンテンツとを含み、該サポートコンテンツは、１つ又は複数の外部データ源から取得した前記推奨事項に関連する情報を含む、生成することと、
前記実行可能なフィードバックを、前記グラフィカル・ユーザインターフェイスを介して前記複数の介護者の前記少なくとも１人に提示させることと、を行うように構成される、
システム。
【請求項２】
前記１つ又は複数のハードウェア・プロセッサは、前記実行可能なフィードバック、前記解析、及び前記非公式の所見に基づいて、要約レポートをヘルスケア・プロバイダのために生成するようにさらに構成される、請求項１に記載のシステム。
【請求項３】
前記１つ又は複数のハードウェア・プロセッサは、前記所見が、該所見に関連するテキスト形式の記述的メモ、評価付け、前記所見の日付、及び視覚画像の１つ又は複数を含むように構成される、請求項１に記載のシステム。
【請求項４】
前記１つ又は複数のハードウェア・プロセッサは、前記処理が、前記視覚画像の解析を容易にするように構成された画像処理技術をさらに含むようにさらに構成される、請求項３に記載のシステム。
【請求項５】
前記１つ又は複数のハードウェア・プロセッサは、前記グラフィカル・ユーザインターフェイスが、１つ又は複数の所見カテゴリーに対応する１つ又は複数のビューと、テキスト形式の記述的メモ、評価付け、日付、及び／又は視覚画像に対応する個々のビュー内の１つ又は複数のフィールドとを含むように構成される、請求項１に記載のシステム。
【請求項６】
前記被介護者の健康状態に関連する情報を伝達する出力信号を生成するように構成された１つ又は複数のセンサをさらに含み、前記１つ又は複数のハードウェア・プロセッサは、前記出力信号の情報は、前記取得した病歴情報に含まれるように構成される、請求項１に記載のシステム。
【請求項７】
複数の介護者による被介護者に関する非公式の所見をたどり、観察システムを用いて、前記非公式の所見に基づいて前記被介護者の健康状態を管理するための実行可能なフィードバックを前記複数の介護者に提供する方法であって、前記システムは１つ又は複数のハードウェア・プロセッサを含み、当該方法は、
前記被介護者に関する病歴情報を取得するステップであって、該病歴情報は、前記被介護者が経験した１つ又は複数の病状を含む前記被介護者の健康状態を示す、取得するステップと、
前記複数の介護者のそれぞれによる前記非公式の所見の入力を容易にするように構成されたグラフィカル・ユーザインターフェイスを提示させるステップであって、該グラフィカル・ユーザインターフェイスは、個々の介護者に関連付けられた個々のコンピュータ装置上に提示される、提示させるステップと、
自然言語処理感情解析を使用して前記非公式の所見を処理して、各非公式の所見を、肯定的、否定的、主観的、客観的、特徴関連、及び態様関連の少なくとも１つとして分類するステップと、
前記処理された非公式の所見及び前記病歴情報の中の傾向を決定することにより、前記非公式の所見及び前記病歴情報を解析して、前記被介護者の健康状態又は前記被介護者が経験する医療イベントの１つ又は複数の変化を特定するステップと、
実行可能なフィードバックを前記複数の介護者の少なくとも１人に関連付けられた介護者の装置を介して前記複数の介護者の前記少なくとも１人のために生成するステップであって、前記実行可能なフィードバックは前記解析に基づくものであり、前記実行可能なフィードバックは、前記被介護者の健康状態を管理するための推奨事項と、該推奨事項に関連するサポートコンテンツとを含み、該サポートコンテンツは、１つ又は複数の外部データ源から取得した前記推奨事項に関連する情報を含む、生成するステップと、
前記実行可能なフィードバックを、前記グラフィカル・ユーザインターフェイスを介して前記複数の介護者の前記少なくとも１人に関連付けられた前記介護者の装置に提示させるステップと、を含む、
方法。
【請求項８】
前記実行可能なフィードバック、前記解析、及び前記非公式の所見に基づいて、要約レポートをヘルスケア・プロバイダのために生成するステップをさらに含む、請求項７に記載の方法。
【請求項９】
前記所見は、該所見に関連するテキスト形式の記述的メモ、評価付け、前記所見の日付、及び視覚画像の１つ又は複数を含む、請求項７に記載の方法。
【請求項１０】
前記処理は、前記視覚画像の解析を容易にするように構成された画像処理技術をさらに含む、請求項９に記載の方法。
【請求項１１】
前記グラフィカル・ユーザインターフェイスは、１つ又は複数の所見カテゴリーに対応する１つ又は複数のビューと、テキスト形式の記述的メモ、評価付け、日付、及び／又は視覚画像に対応する個々のビュー内の１つ又は複数のフィールドとを含む、請求項７に記載の方法。
【請求項１２】
前記被介護者の健康状態に関連する情報を伝達する出力信号を生成するステップをさらに含み、前記出力信号の情報は、前記取得した病歴情報に含まれる、請求項７に記載の方法。
【請求項１３】
複数の介護者による被介護者に関する非公式の所見をたどり、該非公式の所見に基づいて前記被介護者の健康状態を管理するための実行可能なフィードバックを前記複数の介護者に提供するように構成されたシステムであって、当該システムは、
前記被介護者に関する病歴情報を取得する手段であって、該病歴情報は、前記被介護者が経験した１つ又は複数の病状を含む前記被介護者の健康状態を示す、取得する手段と、
前記複数の介護者のそれぞれによる前記非公式の所見の入力を容易にするように構成されたグラフィカル・ユーザインターフェイスを提示させる手段であって、該グラフィカル・ユーザインターフェイスは、個々の介護者に関連付けられた個々のコンピュータ装置上に提示される、提示させる手段と、
自然言語処理感情解析を使用して前記非公式の所見を処理して、各非公式の所見を、肯定的、否定的、主観的、客観的、特徴関連、及び態様関連の少なくとも１つとして分類する手段と、
前記処理された非公式の所見の中の傾向を決定することにより、前記非公式の所見及び前記病歴情報を解析して、前記被介護者の健康状態又は前記被介護者が経験する医療イベントの１つ又は複数の変化を特定する手段と、
前記解析に基づいて、実行可能なフィードバックを前記複数の介護者の少なくとも１人のために生成する手段であって、前記実行可能なフィードバックは、前記被介護者の健康状態を管理するための推奨事項と、該推奨事項に関連するサポートコンテンツとを含み、該サポートコンテンツは、１つ又は複数の外部データ源から取得した前記推奨事項に関連する情報を含む、生成する手段と、
前記実行可能なフィードバックを、前記グラフィカル・ユーザインターフェイスを介して前記複数の介護者の前記少なくとも１人に関連付けられた介護者の装置に提示させる手段と、を含む、
システム。
【請求項１４】
前記実行可能なフィードバック、前記解析、及び前記非公式の所見に基づいて、要約レポートをヘルスケア・プロバイダのために生成する手段をさらに含む、請求項１３に記載のシステム。
【請求項１５】
前記所見は、該所見に関連するテキスト形式の記述的メモ、評価付け、前記所見の日付、及び視覚画像の１つ又は複数を含む、請求項１３に記載のシステム。
【請求項１６】
前記処理は、前記視覚画像の解析を容易にするように構成された画像処理技術をさらに含む、請求項１５に記載のシステム。
【請求項１７】
前記グラフィカル・ユーザインターフェイスは、１つ又は複数の所見カテゴリーに対応する１つ又は複数のビューと、テキスト形式の記述的メモ、評価付け、日付、及び／又は視覚画像に対応する個々のビュー内の１つ又は複数のフィールドとを含む、請求項１３に記載のシステム。
【請求項１８】
前記被介護者の健康状態に関連する情報を伝達する出力信号を生成する手段をさらに含み、前記出力信号の情報は、前記取得した病歴情報に含まれる、請求項１３に記載のシステム。
【国際調査報告】
2019515398.tif 000018
2019515398.tif 000019
2019515398.tif 000020